(57)【特許請求の範囲】
【請求項１】
複数本のケーブルを列状に配置するとともに、前記各ケーブルの各外部導体に一括して電気的接続する金属製の補助部材を具えたプラグと、
該プラグが着脱自在で、該プラグを装着した際前記各ケーブルの各内部導体に電気的接続する複数本の内部導体用コンタクトを具えたレセプタクルとからなり、
前記レセプタクルは、前記金属製の補助部材に接続し、かつ、アース端子に接続する外部導体用コンタクトを有し、
前記プラグを前記レセプタクルに装着した際、前記各外部導体は前記金属製の補助部材および前記外部導体用コンタクトを介し、一括して前記アース端子に電気的接続するケーブル用コネクタであって、
前記金属製の補助部材は、前記外部導体用コンタクトと対応する位置に、前記プラグの本体に巻回される舌片を有し、
前記外部導体用コンタクトは、前記内部導体コンタクトと同一形状に形成され、かつ、前記舌片を挟持することを特徴とするケーブル用コネクタ。
【発明の詳細な説明】
【０００１】
【発明の属する技術分野】
この発明は、ノート型コンピータ等の情報機器、家電製品等の小型電子機器に使用されるコネクタに関し、詳しくは、多数本のケーブルの各外部導体と電気的に接続するケーブル用コネクタに関する。
【０００２】
【従来の技術】
ノート型パソコン等の情報機器、家電製品等の小型電子機器の内部配線には多数本のケーブルが使用されている。
この多数本のケーブルとしては、絶縁体の中心部に極細の導体を配設した一本のケーブルを多数本集合させたもの、極細の導体を複数本列状に絶縁体内部に配設したフレキシブルフラットケーブル、極細の同軸ケーブルを多数本集合させたものなどが知られており、これら多数本のケーブルと印刷配線基板の各端子との電気的接続を図る装置として、ケーブル用コネクタがある。
一方、同軸ケーブルのように、内部導体と外部導体とを具えたケーブルを多数本集合させたものでは、通常、ケーブル用コネクタによって、各ケーブルの各内部導体を印刷配線基板の対応する各端子に電気的に接続するとともに、各ケーブルの各外部導体を一括して印刷配線基板のアース端子にグランド接続するようにしている。
【０００３】
たとえば、従来のケーブル用コネクタは、複数本のケーブルを列状に配置するとともに、この各ケーブルの各外部導体に一括して電気的接続する金属製の支承部材を具えたプラグと、該プラグを覆うカバーであって前記支承部材に導通する金属製のシールドカバーと、該シールドカバーに覆われたプラグが着脱自在で、内部に複数本の内部導体用コンタクトを具えたレセプタクルとから構成されており、このうちのレセプタクルには、印刷配線基板のアース端子に導通する別のシールドカバーが配設されている。また、レセプタクルの各内部導体用コンタクトは、印刷配線基板の各端子に導通している。
【０００４】
このような従来のケーブル用コネクタでは、プラグをレセプタクルに装着すると、各内部導体と対応する内部導体用コンタクトとが電気的に接続し、これにより各内部導体と印刷配線基板の各端子との電気的接続が図られる。
また、プラグをレセプタクルに装着すると、プラグを覆うシールドカバーは、レセプタクル側のシールドカバーに接触し、これにより各外部導体は、金属製の支承部材、プラグ側のシールドカバー及びレセプタクル側のシールドカバーを介し、アース端子に一括してグランド接続される。
【０００５】
また、この従来のケーブル用コネクタでは、上述のように、多数本のケーブル各外部導体をグランド接続する場合に、シールドカバーを介してグランド接続するようにしており、該シールドカバーによってシールド容量を可及的に大きく確保して、シールド効果を可及的に高くするようにしている。
【０００６】
【発明が解決しようとする課題】
ところで、従来のケーブル用コネクタでは、シールドカバーのみによってシールド容量を可及的に大きく確保するようにしていたから、近年の電子機器における高周波数化により生じるノイズ問題に対応し、十分なシールド容量を確保するためには、シールドカバーを大きく形成しなければならず、そのようにシールドカバーを大きく形成すると、近年におけるケーブル用コネクタの小型化の要請に応えることができないという問題があった。
【０００７】
一方、ケーブル用コネクタの小型化の要請に応え、シールドカバーを小さく形成すると、電子機器における高周波数化により生じるノイズ問題に対応した十分なシールド容量を確保することが困難で、シールド効果が十分でなく、信号の伝送を確実に行うことができないという問題があった。
【０００８】
なお、電子機器における一層の高周波数化や、電子機器の一層の小型化が、今後図られると予想されるため、上述した問題は重要である。
【０００９】
この発明は、上述した事情に鑑み、シールド効果が十分に高く信号の伝送が確実で、小型のケーブル用コネクタを提供することを目的とする。
【００１０】
【課題を解決するための手段】
上述した課題を解決するため、この発明では、複数本のケーブルを列状に配置するとともに、前記各ケーブルの各外部導体に一括して電気的接続する金属製の補助部材を具えたプラグと、該プラグが着脱自在で、該プラグを装着した際前記各ケーブルの各内部導体に電気的接続する複数本の内部導体用コンタクトを具えたレセプタクルとからなり、前記レセプタクルは、前記金属製の補助部材に接続し、かつ、アース端子に接続する外部導体用コンタクトを有し、前記プラグを前記レセプタクルに装着した際、前記各外部導体は前記金属製の補助部材および前記外部導体用コンタクトを介し、一括して前記アース端子に電気的接続するケーブル用コネクタであって、前記金属製の補助部材は、前記外部導体用コンタクトと対応する位置に、前記プラグの本体に巻回される舌片を有し、前記外部導体用コンタクトは、前記内部導体コンタクトと同一形状に形成され、かつ、前記舌片を挟持するようにしている。
【００１１】
【発明の実施の形態】
以下、この発明に係わるケーブル用コネクタについて詳述する。
図１は、この発明に係わるケーブル用コネクタの構成を示す概念斜視図で、ケーブルを電気的接続する前の様子を示す図である。
このケーブル用コネクタ１は、図１で示すように、複数本の同軸ケーブル３１、３２が配置されたプラグ２と、該プラグ２が着脱自在なレセプタクル２１とから構成されている。
このうち、プラグ２は、上面に凹部８が形成された絶縁体からなる本体７と、凹部８内に位置決め収容される金属製の補助部材１１から構成されている。
また、このうちの本体７には、凹部８に隣接し、レセプタクル２１に向け所定のピッチで形成された複数本の略Ｕ字形の案内溝３〜６が配設されている。
一方、金属製の補助部材１１は、本体７に装着する前の様子を示す図２のように、複数本の同軸ケーブル３１、３２の各外部導体３１ａ、３２ａを支承する金属製の支承部材１７と、該支承部材１７の上面に貼着される金属製の上プレート１８と、支承部材１２の下面に貼着される金属製の下プレート１９とから構成され、このうち、支承部材１７は、図１の略Ｕ字形の溝４、５に対応する位置で、同軸ケーブル３１、３２の各外部導体３１ａ、３２ａを支承している。また、図２の下プレート１９には、図１の略Ｕ字形の案内溝３、６に対応する位置に、一対の舌片１３、１６が形成されている。
なお、図２は、プラグ２を構成する金属製の補助部材１１および該補助部材１１に支承される同軸ケーブル３１、３２を示す要部概念斜視図で、図１と同一部分を同一符号で示している。
【００１２】
この図２で示す金属製の補助部材１１の一対の舌片１３、１６を、図１に示すように、対応する本体７の略Ｕ字形の溝３、６の各形成方向に沿って折り曲げ該略Ｕ字形の溝３、６に巻回し、また、複数本の同軸ケーブル３１、３２の各内部導体３１ｂ、３２ｂを、対応する本体７の略Ｕ字形の溝４、５の各形成方向に沿って折り曲げ該略Ｕ字形の溝４、５に巻回すると、金属製の補助部材１１の舌片１３、同軸ケーブル３１の内部導体３１ｂ、同軸ケーブル３２の内部導体３２ｂ、金属製の補助部材１１の舌片１６は、それぞれ対応する案内溝３、４、５、６に沿って、列状かつ略Ｕ字形状に折り曲げられ配置され、これにより、図１のプラグ２が組み立てられることとなる。
【００１３】
また、このように組み立てられたプラグ２では、各舌片１３、１６および各内部導体３１ｂ、３２ｂは、プラグ２の表面に露出しており、この露出した各舌片１３、１６および各内部導体３１ｂ、３２ｂそのものが、コネクタ１を構成する各雄コンタクトとなる。
【００１４】
一方、図１の点線で示すレセプタクル２１には、その筐体２２内であって、プラグ２の雄コンタクト、すなわち、複数本の同軸ケーブル３１、３２の各内部導体３１ｂ、３２ｂおよび補助部材１１の舌片１３、１６と対向する位置に、所定のピッチで、それぞれ、内部導体用コンタクト２４、２５、および外部導体用コンタクト２３、２６が配設されている。
【００１５】
この各内部導体用コンタクト２４、２５と各外部導体用コンタクト２３、２６は、同一形状のコンタクトであり、該コンタクトの構造を外部導体用コンタクト２３で代表して説明すると、外部導体用コンタクト２３は、プラグ２に向けて配置されたチューニングフォーク型先端２３ａと、図示せぬ印刷配線基板の対応する端子に接続する脚２３ｂとから構成されている。
また、この各外部導体用コンタクト２３〜２６のうち、特に、各外部導体用コンタクト２３、２６は、その脚２３ｂ、２６ｂが、印刷配線基板のアース端子（図示せぬ）に接続されている。
一方、このように構成されたプラグ２とレセプタクル２１では、図１で示す矢印Ａのように、プラグ２をレセプタクル２１に装着すると、ケーブル用コネクタ１の要部概念断面図を示す図３のように、案内溝３は外部導体用コンタクト２３のチューニングフォーク型先端２３ａ内に嵌挿し、同時にこのチューニングフォーク型先端２３ａが案内溝３内に配設され、かつ案内溝３に巻回された舌片１３を、その上下面から把持する。
その一方、外部導体用コンタクト２３は、脚２３ｂで図示せぬ印刷配線基板のアース端子に接続している。
そのため、金属製の補助部材１１に一括して電気的接続する図２の外部導体３１ａおよび外部導体３２ａは、金属製の補助部材１１及び外部導体用コンタクト２３を介して、一括して電気的接続（グランド接続）されることとなる。
なお、図３では、図１と同一部分を同一符号で示している。また、図３の符号２７はレセプタクル２１内の上面、符号２８はレセプタクル２１内の下面を示している。
【００１６】
このように、このケーブル用コネクタ１では、従来のようにシールドカバーを配設することなくグランド接続できるから、シールドカバーを配設しない分、ケーブル用コネクタの構造が簡単となって製造コストを低下させることができるとともに、ケーブル用コネクタ１の小型化を図ることができる。
【００１７】
また、このように、このケーブル用コネクタ１では、外部導体３１ａ、３２ａを金属製の補助部材１１および外部導体用コンタクト２３を介してグランド接続することとしたから、シールド容量は、金属製の補助部材１１および外部導体用コンタクト２３によって確保されることとなり、近年の電子機器における高周波数化により生じるノイズ問題に対応して十分なシールド容量を確保するため、ケーブル用コネクタ１をシールドカバーで覆う場合に、該シールドカバーを従来のように大きく形成する必要はない。
【００１８】
また、このケーブル用コネクタ１では、シールド容量は、上述のように、金属製の補助部材１１および外部導体用コンタクト２３によって確保されるから、近年のケーブル用コネクタ１の小型化の要請によって、シールドカバーがたとえ小さく形成される場合であっても、該シールドカバーがシールド容量全体に及ぼす影響を可及的に小さくでき、これにより、近年の電子機器における高周波数化により生じるノイズ問題に対応した十分なシールド容量を確保でき、シールド効果を可及的に高く維持して、信号の伝送を確実に行うことができる。
【００１９】
したがって、このケーブル用コネクタ１によると、シールド効果を可及的に高く維持して、信号の伝送を確実に行うことができるとともに、ケーブル用コネクタの小型化を図ることができる。
【００２０】
一方、このケーブル用コネクタ１では、プラグ２をレセプタクル２１に装着すると、一対の舌片１３、１６のうち他方の舌片１６についても、上述した一方の舌片１３と同様に、外部導体用コンタクト２６のチューニングフォーク型先端２６ａが他方の舌片１６をその上下面から把持し、一方、外部導体用コンタクト２６は脚２６ｂで印刷配線基板のアース端子に接続するから、外部導体３１ａおよび外部導体３２ａは、金属製の補助部材１１及び外部導体用コンタクト２６を介し一括して電気的接続（グランド接続）される。
【００２１】
そのため、このケーブル用コネクタ１では、同軸ケーブル３１の外部導体３１ａ、および同軸ケーブル３２の外部導体３２ａのグランド接続は、金属製の補助部材１１に配設された舌片１３と外部導体用コンタクト２３、および舌片１６と外部導体用コンタクト２６とによって同時に行われ、これにより、金属製の補助部材１１によるシールド容量、および外部導体用コンタクトによるシールド容量を、それぞれ、舌片、各外部導体用コンタクトを１本ずつ配設する場合に比し、その配設数分だけ大きくできるから、これにより、ケーブル用コネクタの小型化を維持して、ケーブル用コネクタ全体のシールド容量を従来に比し一層大きく確保することができる。
したがって、近年の電子機器における高周波数化により生じるノイズ問題に対応し十分なシールド容量を更に確保でき、シールド効果を可及的に高く維持して信号の伝送を確実に行うことができるとともに、近年のケーブル用コネクタの小型化の要請にも応えることができる。
【００２２】
なお、プラグ２をレセプタクル２１に装着すると、図１で示す案内溝４、５は内部導体用コンタクト２４、２５のチューニングフォーク型先端２４ａ、２５ａ内に嵌挿し、同時にこのチューニングフォーク型先端２４ａ、２５ａは案内溝４、５内に配設された各内部導体３１ｂ、３２ｂを、それぞれ、上下面から把持して、各内部導体３１ｂ、３２ｂと対応する内部導体用コンタクト２４、２５とが電気的に接続する。また、一方、各内部導体用コンタクト２４、２５は、その脚２４ｂ、２５ｂで印刷配線基板の対応する各端子と接続しているから、これにより、各内部導体３１ｂ、３２ｂと印刷配線基板の対応する各端子は、各内部導体用コンタクト２４、２５を介し、電気的に接続されることとなる。
【００２３】
また、このケーブル用コネクタ１では、金属製の補助部材１１の舌片１３、１６をプラグ１の本体７に巻回させるようにしたから、金属製の補助部材１１は本体７に確実に位置決め固定され、本体７から脱落することはない。
【００２４】
また、このケーブル用コネクタ１では、金属製の補助部材１１の舌片１３、１６を外部導体用コンタクト２３、２６によって挟持させることによりグランド接続することとしたから、各外部導体３１ａ、３２ａと印刷配線基板のアース端子とのグランド接続を確実に行うことができる。
【００２５】
なお、この実施例のケーブル用コネクタ１では、各外部導体用コンタクト２３、２６は各内部導体用コンタクト２４、２５と同一形状のコンタクトとしたが、この発明のケーブル用コネクタでは、外部導体用コンタクトの形状はこれに限定せず、外部導体用コンタクトは、内部導体用コンタクトと異なる形状のコンタクトであってもよい。
また、この実施例のケーブル用コネクタ１のように、各外部導体用コンタクト２３、２６と各内部導体用コンタクト２４、２５とを同一形状のコンタクトとすると、外部導体用コンタクト２３、２６を内部導体用コンタクト２４、２５と異なる形状のコンタクトとするケーブル用コネクタに比し、ケーブル用コネクタの構造がより簡単となって、製造作業が一層が容易になり、製造コストを更に低下させることができる。
【００２６】
また、この実施例のケーブル用コネクタ１では、電気的接続が図られるケーブルは同軸ケーブルとしたが、この発明のケーブル用コネクタで用いられるケーブルは、同軸ケーブルに限定せず、内部導体と外部導体とを具えたケーブルであればよく、たとえば、１本の外部導体と２本の内部導体とからなる、いわゆる二芯平行シールド線であってもよい。
また、この実施例のケーブル用コネクタ１では、ケーブル用コネクタ１全体を覆うシールドカバーを具えない構成としたが、この発明のケーブル用コネクタではこれに限定されず、該シールドカバーを配設するようにしてもよく、そのようにすると、シールド容量を更に大きく確保でき、シールド効果を一層高くすることができる。
【００２７】
【発明の効果】
以上説明したように、この発明に係わるケーブル用コネクタでは、複数本のケーブルを列状に配置し、かつ各ケーブルの各外部導体に一括して電気的接続する金属製の補助部材に電気的接続し、かつアース端子に電気的に接続する外部導体用コンタクトを、レセプタクルに配設することとし、これにより、プラグをレセプタクルに装着した際、各外部導体を、金属製の補助部材および外部導体用コンタクトを介し、アース端子に一括してグランド接続させることとしたから、シールド容量は金属製の補助部材および外部導体用コンタクトによって確保され、近年の電子機器における高周波数化により生じるノイズ問題に対応し、十分なシールド容量を確保するため、従来のようにシールドカバーを大きく形成したりする必要はない。
【００２８】
また、近年のケーブル用コネクタの小型化の要請によりシールドカバーを、小さく形成する場合であっても、該シールドカバーがシールド容量全体に及ぼす影響を可及的に小さくできるから、近年の電子機器における高周波数化により生じるノイズ問題に対応した十分なシールド容量を確保でき、これにより、シールド効果を可及的に高く維持して、信号の伝送を確実に行うことができる。
【００２９】
したがって、この発明のケーブル用コネクタによると、シールド効果を十分に高くして信号の伝送を確実に行うことができるとともに、小型化を図ることができ、これにより、安定した動作を行う小型のパソコン等の小型電子機器を提供することができる。
【図面の簡単な説明】
【図１】図１は、この発明に係わるケーブル用コネクタの構成を示す概念斜視図で、ケーブルを電気的接続する前の様子を示す図である。
【図２】図２は、この発明に係わるケーブル用コネクタのプラグを構成する金属製の補助部材および該補助部材に支承される同軸ケーブルを示す要部概念斜視図で、補助部材および同軸ケーブルをプラグの本体に装着する前の様子を示す図。
【図３】図３は、この発明に係わるケーブル用コネクタの概念断面図で、ケーブルの外部導体が、金属製の補助部材および外部導体用コンタクトを介してグランド接続された様子を示す図。
【符号の説明】
１…ケーブル用コネクタ
２…プラグ
１１…金属製の補助部材
２１…レセプタクル
２３、２６…外部導体用コンタクト
２４、２５…内部導体用コンタクト
３１、３２…複数本のケーブル
３１ａ、３２ａ…外部導体
３１ｂ、３２ｂ…内部導体
【図１】
0004305887.tif 000002
【図２】
0004305887.tif 000003
【図３】
0004305887.tif 000004